(57)【要約】本発明は粘度が１〜３０００ｍＰａｓ、好ましくは１〜２５００ｍＰａｓ、特に好ましくは１〜２０００ｍＰａｓの洗浄調合物を浸漬させた基質であり、該洗浄調合物はそれぞれ該洗浄調合物の全量に関し  （ａ）０．１〜１５重量％、好ましくは１〜１０重量％の濃度の１種またはそれ以上の陰イオン性および／または非イオン性表面活性剤、  （ｂ）４０〜９９重量％、好ましくは５０〜９０重量％、特に好ましくは６０〜９０重量％の濃度の水、  （ｃ）０．０１〜３重量％、好ましくは０．１〜２重量％の濃度の１種またはそれ以上の防腐剤を含んで成ることを特徴とする基質に関する。【特許請求の範囲】
【請求項１】
粘度が１〜３０００ｍＰａｓ、好ましくは１〜２５００ｍＰａｓ、特に好ましくは１〜２０００ｍＰａｓの洗浄調合物を浸漬させた基質であり、該洗浄調合物はそれぞれ該洗浄調合物の全量に関し
（ａ）０．１〜１５重量％、好ましくは１〜１０重量％の濃度の１種またはそれ以上の陰イオン性および／または非イオン性表面活性剤、
（ｂ）４０〜９９重量％、好ましくは５０〜９０重量％、特に好ましくは６０〜９０重量％の濃度の水、
（ｃ）０．０１〜３重量％、好ましくは０．１〜２重量％の濃度の１種またはそれ以上の防腐剤を含んで成ることを特徴とする基質。
【請求項２】
基質は繊維布の実施形態で存在することを特徴とする請求項１記載の基質。
【請求項３】
陰イオン性表面活性剤としてアシルアミノ酸表面活性剤、サルコシネート、スルフォスクシネート、スルフォスクシネートシトレート、モノアルキルフォスフェート、オレフィンスルフォネートを用いることを特徴とする請求項１または２に記載された基質。
【請求項４】
非イオン性表面活性剤としてアルキルポリグリコシドを用いることを特徴とする請求項１〜３のいずれか一つに記載された基質。
【請求項５】
防腐剤として安息香酸および／またはサリチル酸および／またはそれらの誘導体および／またはこれらの化合物の塩を用いることを特徴とする請求項１〜４のいずれか一つに記載された基質。
【請求項６】
陰イオン性表面活性剤対非イオン性表面活性剤の重量比は２：５〜５：２であることを特徴とする請求項１〜５のいずれか一つに記載された基質。
【請求項７】
基質対洗浄調合物の重量比は１：０．５〜１：５であることを特徴とする請求項１〜６のいずれか一つに記載された基質。
【請求項８】
擦り付け、噴霧および／または浸漬の方法により基質の上に洗浄調合物が被覆されていることを特徴とする請求項１〜７のいずれか一つに記載された基質。
【請求項９】
皮膚および／または毛髪の洗浄および／または手入れに対する上記請求項のいずれか一つに記載された基質の使用。  
【請求項１０】
穏やかに泡立つ洗浄器としての上記請求項のいずれか一つに記載された基質の使用。
【発明の詳細な説明】
【技術分野】
【０００１】
本発明は良好に泡立ちさせることができる表面活性剤を含んだ洗浄調合物を浸漬させた洗浄用基質、その製造法および使用に関する。
［本発明の開示］
【０００２】
清潔な皮膚に対する願望は人類の発祥と同じくらい古い。何故なら、汚れ、汗および壊死した皮膚の粒子の残渣はあらゆる種類の病原体および寄生虫に対する理想的な温床になるからである。身体の衛生に関する欲求は絶えず強くなり、２０世紀の６０年代には、「古典的な」石鹸の他に新しく開発された合成品の表面活性剤を含む液状の洗浄剤が調合できるようになった。それ以来入浴およびシャワーは我々の日常生活から無視できなくなり、現在では種々の異なった身体の部分を洗浄する多くの製品が使用されるようになっている。
【０００３】
表面活性剤は化粧品用の洗浄剤の中の作用物質として大きな意味をもっている。表面活性剤は、同じ分子内に親水性（水を引き付ける性質）および疎水性（水を反撥する性質）をもった基をもつ特殊な分子構造の結果、水の表面張力を減少させ、皮膚の保湿、汚れの除去の促進、および泡立ちの調節に使用することができる。
【０００４】
多くの種類の表面活性剤が区別されている。
【０００５】
第１の分類は非イオン性表面活性剤である。これに対しては脂肪族アルコールエトキシレート、脂肪酸モノエタノールアミド、およびアルキルポリグリコシド（ＡＰＧ）が挙げられる。
【０００６】
第２の分類は両性表面活性剤である。これらは、陽イオン性官能基、大部分の場合１個の４級化された窒素と、１個の陰イオン性の官能基、大部分の場合１個のカルボキシレート基とを含む化合物である。その荷電状態はｐＨに依存する。これに対してはアルキルアミノベタインおよびアルキルアミドグリシネートが挙げられる。
【０００７】
陽イオン性表面活性剤の群は、少なくとも１個の４級窒素原子を含む化合物から成っている。これに対しては例えばアルキルアミン、アルキルイミダゾール、エトキシル化されたアミンが挙られる。
【０００８】
陰イオン性表面活性剤の群はサルフェート、スルフォネート、およびカルボキシレート、即ち硫酸エステルの塩、並びにスルフォン酸およびカルボン酸の塩、例えばナトリウムラウリルエーテルサルフェート（ナトリウムポリオキシエチレンラウリルサルフェート）から成っている。
【０００９】
洗浄調合物に対する特別な形の製品は固体の洗浄用基質、特に繊維布の形の製品である。これらは製造業者によって既に洗浄調合物で浸漬されていることができ、そのためその中に調合物を正しい投与量で予め与えておけるという利点が得られる。特にこれによって瓶の中に保管された調合物から包装が壊れてその内容物が流出し得る欠点が避けられる。洗浄用基質／繊維布のさらに他の利点として、一緒に持ち運んで簡単に少量ずつ放出させことができ、使用する際に一般にそれ以上水を必要としないことが挙られる。
【００１０】
洗浄用基質／繊維布は繊維製品から製造される。繊維製品は織られるか、編まれるか、または織編みされた製品として、或いは不織布（Ｖｅｒｂｕｎｄｓｔｏｆｆ（結合材料），英語でいうｎｏｎｗｏｖｅｎ  ｔｅｘｔｉｌｅ）として存在することができる。大部分の場合不織布が用いられる（コストの観点から）。不織布の場合織物は、縦糸および横糸を用いるかまたは網目をつくって製造するのではなく、繊維布用繊維を絡み合わせるか、および／または粘着剤および／または接着剤を用いて接合して製造される。ＤＩＮ  ６１２１０  Ｔ２に従えば、不織布はフリース（Ｖｌｉｅｓ）、紙の詰物材料、およびフェルトに区別することができる。フリースは紡糸繊維（即ち限られた長さをもった繊維）またはフィラメント（無端の繊維）から成る緩い材料であり、大部分はポリプロピレン、ポリエステルまたはビスコースから製造され、その結合性は一般に繊維に固有な接着性により与えられる。この場合個々の繊維は優先的な方向を示す（配向したフリースまたは交叉したフリース）か、或いは方向性をもっていない（不規則なフリース）ことができる。フリースは針留めにするか、網目をつくって留めるか、または鋭い水流を用いて渦巻き状に動かすことにより機械的に固定することができる。接着剤で固定されたフリースは液体の接合剤（例えばアクリレート重合体、ＳＢＲ／ＮＢＲ、ポリビニルエーテル、ポリウレタン分散物）を用いて繊維を接着させてつくられるか、或いは製造の際にフリースに混入されたいわゆる接着性の繊維を熔融または溶解することによってつくられる。粘着剤による固定の場合には繊維の表面を適当な化学薬品で溶解し、圧力をかけて結合させるか高温において熔融させる（非特許文献１）。
【００１１】
化粧品用調合物で含浸された基質、および特に繊維布は種々の方法で製造することができる。いわゆる「浸漬法」では繊維布を浸漬浴に浸漬するか、または浴の中に通す。この方法は特に紙の繊維布に適しているが、フリースにはあまり適していない。何故ならばフリースは液体（＝調合物）を多量に吸収し過ぎ、次に包装を行う際再放出された調合物のプールができるからである。第２の方法は「噴霧法」であり、この方法では通過する繊維布の上に調合物を噴霧する。この方法はすべての繊維材料に適しているが、強く泡立つ調合物を繊維布の上に塗布することはできない。何故ならば噴霧法では泡の成長が大きすぎるからである。他の方法としてはいわゆる擦り付け法が使用される。この場合には、擦り付け用の板、角材またはノズルに連続的に含浸溶液を供給し、そのすぐ傍に帯状のフリースまたは繊維布を走らせる。含浸の程度は特にプレス圧力および繊維布の速度を変化させて種々に調節される。
【００１２】
当業界における技術の現状に従えば、「浸漬法」において紙の繊維布の上に強く泡立つ調合物を被覆することは既に満足すべき程度まで可能になっている。強く泡立つ調合物は先ず第１に洗浄調合物として用いられる。何故ならば、泡によってその洗浄作用が強く強化されるからである。フリースに比べ紙の繊維布がもつ欠点は引裂き強さが小さいことである。またフリースは皮膚の上で実質的に柔らかくなり、従って皮膚に優しくなる。従ってフリースは洗顔に特に適している。特にフリースは紙の繊維布に比べて白色度が著しく大きいから、使用者に対して衛生的な印象を強く与える。
【非特許文献１】Ｊ．Ｆａｌｂｅ，Ｍ．Ｒｅｇｎｉｔｚ：Ｒｏｅｍｐｐ−Ｃｈｅｍｉｅ−Ｌｅｘｉｋｏｎ、第９版、ドイツ、Ｓｔｕｔｔｇａｒｔ，Ｔｈｉｅｍｅ−Ｖｅｒｌａｇ、１９９２年発行。
【発明の開示】
【００１３】
従って本発明の目的は、強く泡立つ洗浄調合物を浸漬させることができる基質、並びにその製造法を開発することである。
【００１４】
驚くべきことに本発明によれば、上記目的は粘度が１〜３０００ｍＰａｓ、好ましくは１〜２５００ｍＰａｓ、特に好ましくは１〜２０００ｍＰａｓの洗浄調合物を浸漬させた基質であり、該洗浄調合物はそれぞれ該洗浄調合物の全量に関し
（ａ）０．１〜１５重量％、好ましくは１〜１０重量％の濃度の１種またはそれ以上の陰イオン性および／または非イオン性表面活性剤、
（ｂ）４０〜９９重量％、好ましくは５０〜９０重量％、特に好ましくは６０〜９０重量％の濃度の水、
（ｃ）０．０１〜３重量％、好ましくは０．１〜２重量％の濃度の１種またはそれ以上の防腐剤を含んで成ることを特徴とする基質によって達成される。
【００１５】
本発明の基質はそれぞれの点において極めて満足すべき良好な泡立ち性をもったすぐ使用できる洗浄用器具であり、さらに水を加えないでも使用することができる。この洗浄調合物は作用が特に穏やかであるために、本発明による基質は皮膚および／または毛髪の洗浄に使用することができる。本発明によれば、鋭敏で乾燥した毛髪、例えば赤ん坊、高齢者の毛髪、または顔の皮膚の場合に特に有利に使用することができる。この場合本発明による調合物の表面活性剤の組み合わせは作用が非常に穏やかなために、基質を使用した後この調合物を水ですすぎ落す必要はない。
【００１６】
本発明に従えば、１種またはそれ以上の陰イオン性および／または非イオン性表面活性剤の濃度がそれぞれ調合物の全重量に関して０．１〜１５重量％、好ましくは１〜１０重量％の濃度である場合に有利である。
【００１７】
さらに本発明に従えば、水の濃度が調合物の全重量に関して４０〜９９重量％、好ましくは５０〜９０重量％、特に好ましくは６０〜９０重量％で濃度である場合に有利である。
【００１８】
さらにまた本発明に従えば、１種またはそれ以上の防腐剤はその濃度がそれぞれ調合物の全重量に関して０．０１〜３重量％、好ましくは０．１〜２重量％の濃度である場合に有利である。
【００１９】
また本発明に従えば、本発明による洗浄調合物の粘度が１〜３０００ｍＰａｓ、好ましくは１〜２５００ｍＰａｓ、特に好ましくは１〜２０００ｍＰａｓである場合に有利である。
【００２０】
本発明による洗浄調合物の粘度は、必要な場合、本発明に従って粘稠化剤を用いて有利に調節することができる。
【００２１】
１種またはそれ以上の本発明による洗浄活性をもった表面活性剤は、２５よりも大きいＨＬＢ値をもつ表面活性剤から成る群から選ばれることが特に有利であり、ＨＬＢ値が３５よりも大きい表面活性剤から成る群から選ばれることが極めて有利である。
【００２２】
本発明の目的において本発明による有利な陰イオン性表面活性剤には次のものがある。
【００２３】
アシルアミノ酸およびその塩、例えば
・  アシルグルタメート、特にナトリウムアシルグルタメート、
・  サルコシネート、例えばミリストイルサルコシン、ＴＥＡ−ラウロイルサルコシネート、ナトリウムラウロイルサルコシネート、およびナトリウムココイルサルコシネート、
スルフォン酸およびその塩、例えば
・  アシルイセチオネート、例えばナトリウム−／アンモニウムココイル−イセチオネート、
・  スルフォスクシネート、例えばジオクチルナトリウムスルフォスクシネート、ジナトリウムラウレトスルフォスクシネート、ジナトリウムラウリルスルフォスクシネート、およびジナトリウムウンデシレンアミドＭＥＡ−スルフォスクシネート、
並びに硫酸エステル、例えば
・  アルキルエーテルサルフェート、例えばナトリウム−、アンモニウム−、マグネシウム−、ＭＩＰＡ−、ＴＩＰＡ−ラウレトサルフェート、ナトリウムミレトサルフェート、およびナトリウムＣ１２〜１３パレトサルフェート、
・  アルキルサルフェート、例えばナトリウム−、アンモニウム−およびＴＥＡ−ラウリルサルフェート。
【００２４】
また
・  タウレート、例えばナトリウムラウロイルタウレート、およびナトリウムメチルココイルタウレート、
・  エーテル−カルボン酸、例えばナトリウムラウレト−１３カルボキシレート、およびナトリウムＰＥＧ−６ココアミドカルボキシレート、ナトリウムＰＥＧ−７オリーブ油カルボキシレート、
・  燐酸エステルおよび塩、例えばＤＥＡ−オレト−１０フォスフェート、およびジラウレト−４フォスフェート、
・  アルキルスルフォネート、例えばナトリウムココスモノグリセリドサルフェート、ナトリウムＣ１２〜１４オレフィンスルフォネート、ナトリウムラウリルスルフォアセテート、およびマグネシウムＰＥＧ−３ココアミドサルフェート
も本発明に従い有利に使用することができる。
【００２５】
この場合本発明に従えば、陰イオン性表面活性剤としてアシルアミノ酸表面活性剤、サルコシネート、スルフォスクシネート、スルフォスクシネートシトレート、モノアルキルフォスフェート、オレフィンスルフォネートを用いると有利である。
【００２６】
また本発明に従えば、陰イオン性表面活性剤としてアシルアミノ酸表面活性剤、例えばナトリウムココイルグルタメート（例えばＡｊｉｎｏｍｏｔｏ社のＡｍｉｎｏｓｏｆｔ  ＣＳ−１１）、ナトリウムラウロイルグルタメート、ナトリウムカプリロイルグルタメート、ナトリウムカプリノイルグルタメート、および／またはジ−ＴＥＡ−パルミトイルアスパルテートを用いることが特に有利である。
【００２７】
本発明の目的において本発明による有利な非イオン性表面活性剤は次の通りである。
【００２８】
・  アルカノールアミド、例えばココアミドＭＥＡ／ＤＥＡ／ＭＩＰＡ、
・  カルボン酸がエチレンオキシド、グリセリン、ソルビタンまたは他のアルコールとエステル化することによって生じるエステル、
・  エーテル、例えばエトキシル化されたアルコール、エトキシル化されたラノリン、エトキシル化されたポリシロキサン、プロポキシル化されたＰＯＥエーテル、およびアルキルポリグリコシド、例えばラウリルグルコシド、デシルグリコシド、およびココグリコシド、
・  アルコール。
【００２９】
この場合本発明に従えば、非イオン性表面活性剤としてアルキルポリグルコシドを用いる場合が有利であり、ここで本発明に従えばデシルグルコシド、ラウリルグルコシド、ココグルコシドが特に好適である。
【００３０】
本発明に従えば、陰イオン性表面活性剤と非イオン性表面活性剤とから成り、陰イオン性表面活性剤対非イオン性表面活性剤の重量比が２：５〜５：２の組み合わせを使用すると有利である。この重量比（陰イオン性表面活性剤対非イオン性表面活性剤）は５：３〜３．５：４の場合特に好適であり、極めて好ましくは２．５：３である。
【００３１】
この場合本発明による特に好適な実施形態はナトリウムココイルグルタメートとラウリル−および／またはデシルグルコシドから成る組み合わせである。
【００３２】
本発明による基質は、それが浸漬される洗浄調合物の中に防腐剤を含んでいる。本発明の目的において有利な防腐剤は例えばフォルムアルデヒド分離剤（例えばＬｏｎｚａ社からＧｌｙｄａｎｔＴＭの商品名で購入し得るＤＭＤＭヒダントイン）、ヨードプロピルブチルカルバメート（例えばＬｏｎｚａ社からＧｌｙｃａｃｉｌ−Ｌ、Ｇｌｙｃａｃｉｌ−Ｓの商品名で購入できるものおよび／またはＪａｎ  Ｄｅｋｋｅｒ社のＤｅｋａｂｅｎ  ＬＭＢ）、パラベン（即ちｐ−ヒドロキシ安息香酸アルキルエステル、例えばメチル−、エチル−、プロピル−、および／またはブチルパラベン）、フェノキシエタノール、エタノール、安息香酸および同様物、その他である。通常、本発明においては防腐剤システムはまた防腐助剤、例えばオクトキシグリセリン、グリセリン大豆等を含んでいることがさらに有利である。次に本発明による有利な防腐剤物質の一覧を示す。
【００３３】
【表１】
2006512424.tif 000002
【００３４】
さらに化粧品に用いられる防腐剤または防腐助剤、例えばジブロモジシアノブタン（２−ブロモ−２−ブロモメチルグルタロニトリル）、フェノキシエタノール、３−ヨード−２−プロピニルブチルカルバメート、２−ブロモ−２−ニトロ−プロパン−１，３−ジオール、イミダゾリジニル尿素、５−クロロ−２−メチル−４−イソチアゾリン−３−オン、２−クロロアセトアミド、ベンズアルコニウムクロリド、ベンジルアルコールが有利である。
【００３５】
本発明に従えば、この場合防腐剤として安息香酸および／またはサリチル酸および／またはそれらの誘導体および／またはこれらの化合物の塩を用いると特に有利である。
【００３６】
また本発明に従えば、本発明による洗浄調合物がさらに化粧品用および／または皮膚科用の作用助剤および／または添加物を含んでいると有利である。
【００３７】
本発明の洗浄調合物は、好ましくは１種またはそれ以上の水性相の他に、さらに１種またはそれ以上の油相を含み、例えばＷ／Ｏ−、Ｏ／Ｗ−、Ｗ／Ｏ／Ｗ−またはＯ／Ｗ／Ｏ−型の乳化液の形で存在していることが好ましい。。このような調合物は好ましくはまた微小乳化物（例えばＰＩＴ−乳化物）であることができる。
【００３８】
本発明に従えば、本発明の洗浄調合物は上記の物質の他に随時化粧品の中に用いられる添加物、例えば香料、染料、抗生物質、脱脂剤（Ｒｕｅｃｋｆｅｔｔｅｎｄｅ  Ａｇｅｎｔｉｅ）、錯化剤および分離剤（Ｓｅｑｕｅｓｔｉｅｒｕｎｇｓａｇｅｎｔｉｅ）、植物抽出物、ビタミン、作用物質、殺菌剤、紫外線保護フィルター、忌避剤、自己発酵剤、顔料除去剤、着色作用をもった顔料、軟化剤、加湿剤および／または保湿剤、或いは他の化粧品用または皮膚科用組成物の通常の成分、例えば乳化剤、重合体、泡安定剤、電解質、有機溶媒、または珪素誘導体を含んでいることができる。
【００３９】
本発明によれば、本発明による洗浄調合物は水溶液として或いは水性相として水の他に乳化物、或いは他の内包物質、例えばアルコール、ジオール、または低い炭素数のポリオール、並びにそのエーテル、好ましくはエタノール、イソプロパノール、プロピレングリコール、グリセリン、エチレングリコール、エチレングリコールモノエチル−または−モノブチルエーテル、プロピレングリコールモノメチル、−モノエチル−または−モノブチルエーテル、ジエチレングリコールモノメチル−または−モノエチルエーテル、および同様な生成物、さらに低炭素数のアルコール、例えばエタノール、イソプロパノール、１，２−プロパンジオール、およびグリセリンを含むことができる。
【００４０】
本発明の目的における加湿剤ないし保湿剤（いわゆる湿潤剤）は例えばグリセリン、乳酸、および／または乳酸塩、特に乳酸ナトリウム、ブチレングリコール、プロピレングリコール、ビオサッカリド・ガム−１、グリシン大豆、エチルヘキシロキシグリセリン、ピロリドンカルボン酸および尿素である。さらに水溶性および／または水に膨潤するおよび／または水でゼリー状になるポリサッカリドの群から選ばれる重合体の湿潤剤を使用することが有利である。例えばヒアルロン酸、キトサン、および／またはＣｈｅｍｉｃａｌ  Ａｂｓｔｒａｃｔｓ誌の登録番号が１７８４６３−２３−５で例えばＧｅｓｅｌｌｓｃｈａｆｔ  ＳＯＬＡＢＩＡ−Ｓ．Ａ．からＦｕｃｏ−ｇｅｌ（Ｒ）１０００の商品名で入手できるフコースに富んだポリサッカリドが特に有利である。
【００４１】
本発明に従えば、本発明の洗浄調合物にフィルム生成剤（調節剤）を添加すると有利である。
【００４２】
有利な水溶性のまたは分散可能なフィルム生成剤は例えばポリウレタン（例えばＧｏｏｄｒｉｃｈ社のＡｖａｌｕｒｅ（Ｒ）型）、ジメチコンポリオール共重合体ポリアクリレート（Ｗｉｔｃｏ  Ｏｒｇａｎｏ  ＳｉｌｉｃｏｎｅｓグループのＳｉｌｓｏｆｔ  Ｓｕｒｆａｃｅ（Ｒ））、ＰＶＰ／ＶＡ（ＶＡ＝酢酸ビニル）共重合体（ＢＡＳＦ社のＬｕｖｌｓｃｏｌＶＡ  ６４粉末）等である。
【００４３】
有利な油溶性のフィルム生成剤は例えばポリビニルピロリドン（ＰＶＰ）をベースにした重合体
【００４４】
【化１】
2006512424.tif 000003
【００４５】
から成る群から選ばれるフィルム生成剤である。ポリビニルピロリドンの共重合体、例えばＧＡＰ  Ｃｈｅｍｉｃａｌｓ  ＣｏｏｐｅｒａｔｉｏｎからＡｎｔａｒｏｎ  Ｖ２１６およびＡｎｔａｒｏｎ  Ｖ２２０の商品名で購入できるＰＶＰヘキサデセン共重合体およびＰＶＰエイコセン共重合体、並びにトリコンタイルＰＶＰおよび同様物、その他が有利である。
【００４６】
少なくとも１個の部分的に４級化された窒素原子基をもったフィルム生成剤としては、好ましくはＩＮＣＩ命名法（Ｉｎｔｅｒｎａｔｉｏｎａｌ  Ｎｏｍｅｎｃｌａｔｕｒｅ  Ｃｏｓｍｅｔｉｃ  Ｉｎｇｒｅｄｉｅｎｔ）に従えば「ポリ４級化物（Ｐｏｌｙｑｕａｒｔｅｒｎｉｕｍｕ）」の名前をもったものが適している。これらのものには例えば次のものがある。
【００４７】
Ｐｏｌｙｑｕａｔｅｒｎｉｕｍ−２：  Ｃｈｅｍｉｃａｌ  Ａｂｓｔｒａｃｔｓ−番号（ＣＡＳ−番号）、６３４５１−２７−４，例えばＭｉｒａｐｏｌｄ（Ｒ）Ａ−１５
Ｐｏｌｙｑｕａｔｅｒｎｉｕｍ−５：  アクリルアミドとβ−メタクリロキシエチルトリメチルアンモニウムメトサルフェートとからつくられる共重合体、ＣＡＳ−番号、２６００６−２２−４
Ｐｏｌｙｑｕａｔｅｒｎｉｕｍ−６：  Ｎ，Ｎ−ジメチル−Ｎ−２−プロペニル−２−プロペン−１−アミニウムクロリドの単独重合体、ＣＡＳ−番号、２６０６２−７９−３、例えばＭｅｒｑｕａｔ（Ｒ）１００
Ｐｏｌｙｑｕａｔｅｒｎｉｕｍ−７：  Ｎ，Ｎ−ジメチル−Ｎ−２−プロペニル−２−プロペン−１−アミニウムクロリド、２−プロペンアミドとの重合体、ＣＡＳ−番号、２６５９０−０５−６、例えばＭｅｒａｕａｔ（Ｒ）Ｓ
Ｐｏｌｙｑｕａｔｅｒｎｉｕｍ−１０：  ヒドロキシエチルセルロースの４級アンモニウム塩、ＣＡＳ−番号、５３５６８−６６−４、５５３５３−１９−０、５４３５１−５０−７、６８６１０−９２−４、８１８５９−２４−７、例えばＣｅｌｑｕａｔ（Ｒ）ＳＣ−２３０Ｍ
Ｐｏｌｙｑｕａｔｅｒｎｉｕｍ−１１：  ビニルピロリドン／ジメチルアミノエチル−メタクリレート共重合体／硫酸ジエチルの反応生成物、ＣＡＳ−番号、５３６３３−５４−８、例えばＧａｆｑｕａｔ（Ｒ）７５５Ｎ
Ｐｏｌｙｑｕａｔｅｒｎｉｕｍ−１６：  ビニルピロリドン／ビニルイミダゾリニウムメトクロリド共重合体、ＣＡＳ番号、２９２９７−５５−０、例えばＬｕｖｉｑｕａｔ（Ｒ）ＨＭ  ５５２
Ｐｏｌｙｑｕａｔｅｒｎｉｕｍ−１７：  ＣＡＳ−番号、９０６２４−７５−２、例えばＭｉｒａｐｏｌ（Ｒ）ＡＤ−１
Ｐｏｌｙｑｕａｔｅｒｎｉｕｍ−１９：  ４級化された水溶性のポリビニルアルコール
Ｐｏｌｙｑｕａｔｅｒｎｉｕｍ−２０：  水に分散させ得る４級化されたポリビニルオクタデシルエーテル
Ｐｏｌｙｑｕａｔｅｒｎｉｕｍ−２１：  ポリシロキサン−ポリジメチル−ジメチルアンモニウムアセテート共重合体、例えばＡｂｉｌ（Ｒ）Ｂ  ９９０５
Ｐｏｌｙｑｕａｔｅｒｎｉｕｍ−２２：  ジメチルジアリルアンモニウムクロリド／アクリル酸共重合体、ＣＡＳ−番号、５３６９４−７−０、例えばＭｅｒｑｕａｔ（Ｒ）２８０
Ｐｏｌｙｑｕａｔｅｒｎｉｕｍ−２４：  ヒドロキシエチルセルロースの４級アンモニウム塩の重合体、ラウリルジメチルアンモニウム置換エポキシドとの反応生成物、ＣＡＳ−番号、１０７９８７−２３−５、例えばＱｕａｔｒｉｓｏｆｔ（Ｒ）ＬＭ−２００
Ｐｏｌｙｑｕａｔｅｒｎｉｕｍ−２８：  ビニルピロリドン／メタクリルアミドプロピルトリメチルアンモニウムクロリド共重合体、例えばＧａｆｑｕａｔ（Ｒ）ＨＳ−１００
Ｐｏｌｙｑｕａｔｅｒｎｉｕｍ−２９：  例えばＬｅｘｑｕａｔ（Ｒ）ＣＨ
Ｐｏｌｙｑｕａｔｅｒｎｉｕｍ−３１：  ＣＡＳ−番号、１３６５０５−０２−７、例えばＨｙｐａｎ（Ｒ）ＱＴ  １００
Ｐｏｌｙｑｕａｔｅｒｎｉｕｍ−３２：  Ｎ，Ｎ，Ｎ−トリメチル−２−［（２−メチル−１−オキソ−２−プロペニル）オキシド］−エタンアミニウムクロリド、２−プロパンアミドとの重合体、ＣＡＳ−番号、３５４２９−１９−７
Ｐｏｌｙｑｕａｔｅｒｎｉｕｍ−３７：  ＣＡＳ−番号、２６１６１−３３−１
Ｐｏｌｙｑｕａｔｅｒｎｉｕｍ−４４：  ビニルピロリドンと４級化されたイミダゾリンとから成る４級アンモニウム塩の共重合体、例えばＬｕｖｉｑｕａｔ  Ｃａｒｅ（Ｒ）
重合体のＰｏｌｙｑｕａｔｅｒｎｉｕｍ−１０、Ｐｏｌｙｑｕａｔｅｒｎｉｕｍ−２２およびＰｏｌｙｑｕａｔｅｒｎｉｕｍ−４４が好適で有利であることが示された。
【００４８】
本発明による特に好適なフィルム生成剤はＰｏｌｙｑｕａｔｅｒｎｉｕｍ−１０（Ａｍｅｒｃｈｏｌ社のＵｃａｒｅ  Ｐｏｌｙｍｅｒ  ＪＲ−１２５（Ｒ）、Ｕｃａｒｅ  Ｐｏｌｙｍｅｒ  ＪＲ−４００（Ｒ））である。
【００４９】
他の有利なフィルム生成剤は４級化されたグアーゴム誘導体、例えばグアーヒドロキシプロピルトリモニウムクロリド（Ｒｈｏｄｉａ社のＪａｇｕａｒ  Ｅｘｃｅｌ（Ｒ）、Ｊａｇｕａｒ  Ｃ  １６２（Ｒ））、および／またはセルロース誘導体である。
【００５０】
本発明による洗浄調合物の油相は極性をもった油から成る群、例えばレシチンおよび脂肪酸トリグリセリド、即ち飽和および／または不飽和の分岐したおよび／または分岐しない炭素数８〜２４、特に１２〜１８の鎖長をもつアルカンカルボン酸のトリグリセリドから成る群から選ばれることが有利である。例えば脂肪酸のトリグリセリドは合成品、半合成品および天然産の油、例えばココグリセリド、オリーブ油、ヒマワリ油、大豆油、落花生油、菜種油、アーモンド油、パーム油、ココヤシ油、ひまし油、麦芽油、葡萄果実油、アザミ油、待宵草油、マカダミア果実油および同様物、その他から有利に選ぶことができる。
【００５１】
本発明の目的におけるさらに他の有利な極性をもった油成分は、炭素数３〜３０の鎖長をもつ飽和および／または不飽和の分岐したおよび／または分岐しないアルカンカルボン酸と、炭素数３〜３０の鎖長をもつ飽和および／または不飽和の分岐したおよび／または分岐しないアルコールとのエステルから成る群、並びに芳香族カルボン酸と炭素数３〜３０の鎖長をもつ飽和および／または不飽和の分岐したおよび／または分岐しないアルコールとのエステルから成る群から選ぶことができる。この場合このようなエステル油はオクチルパルミテート、オクチルココエート、オクチルイソステアレート、オクチルドデセイルミリステート、オクチルドデカノール、セテアリルイソノナノエート、イソプロピルミリステート、イソプロピルパルミテート、イソプロピルステアレート、イソプロピルオレエート、ｎ−ブチルステアレート、ｎ−ヘキシルラウレート、ｎ−デシルオレエート、イソオクチルステアレート、イソノニルステアレート、イソノニルイソノナノエート、２−エチルヘキシルパルミテート、２−エチルヘキシルラウレート、２−ヘキシルデシルステアレート、２−オクチルドデシルパルミテート、ステアリルヘプタノエート、オレイルオレエート、オレイルエルケート、エルシルオレエート、エルシルエルケート、トリデシルステアレート、トリデシルトリメリテート、並びにこれらのエステルの合成品、半合成品、および天然産の混合物、例えばホホバ油から成る群から有利に選ぶことができる。
【００５２】
さらにこれらの油相は、ジアルキルエーテルおよびジアルキルカーボネートから成る群から有利に選ばれ、例えばジカプリリルエーテル（Ｃｅｔｉｏｌ  ＯＥ）および／またはジカプリリルカーボネート、例えばＣｏｇｎｉｓ社からＣｅｔｉｏｌ  ＣＣの商品名で市販されているものが有利である。
【００５３】
また１種またはそれ以上の油相成分がイソエイコサン、ネオペンチルグリコールジヘプタノエート、プロピレングリコールジカプリレート／ジカプレート、カプリリック／カプリック／ジグリセリルスクシネート、ブチレングリコールジカプリレート／ジカプレート、ココグリセリド（例えばＨｅｎｋｅｌ社のＭｙｒｉｔｏｌ（Ｒ）３３１）、Ｃ１２〜１３−アルキルラクテート、ジ−Ｃ１２〜１３−アルキルタルタレート、トリイソステアリン、ジペンタエリスリトリチルヘキサカプリレート／ヘキサカプレート、プロピレングリコールモノイソステアレート、トリカプリリン、ジメチルイソソルビドの群から成っていることも好適である。本発明による調合物の油相が安息香酸Ｃ１２〜１５アルキルを或る量で含んでいるか、或いは完全にこれから成っていることが特に有利である。
【００５４】
有利な油相成分はさらに例えばサリチル酸ブチルオクチル（例えばＣＰ  Ｈａｌｌ社から商品名Ｈａｌｌｂｒｉｔｅ  ＢＨＢで市販されているもの）、安息香酸ヘキサデシルおよび安息香酸ブチルオクチルおよびこれらの混合物（Ｈａｌｌｓｔａｒ  ＡＢ）、および／またはジエチルヘキシルナフタレート（Ｈａａｒｍａｎｎ  ＆  Ｒｅｉｍｅｒ社のＣｏｒａｐａｎ（Ｒ）ＴＱ）である。
【００５５】
また本発明に従えば油相成分として液状パラフィンも有利に使用することができる。
【００５６】
本発明による基質の本発明に従った有利な実施形態は、洗浄調合物が皮膚の手入れ用の油および／または乳化物を含んでいることを特徴としている。この場合本発明によれば該洗浄調合物が皮膚の手入れ用の油および／または乳化物を０．５重量％より少ない濃度で含んでいる場合が有利である。
【００５７】
本発明による基質は平らであるか、或いは表面に構造をもっていることができる。本発明によれば表面に構造をもった基質が好適である。
【００５８】
本発明に従えば、基質は好ましくは繊維布の形で使用され、これはフリースから、特に水流によって固定されたおよび／または水流によってエンボッシングを行った（ｗａａｅｒｓｔｒａｈｌｇｅｐｒａｅｇｔ）フリースから成っている。また基質は好ましくは詰物材料、穿孔されたフリースまたは網として仕上げられていることが有利である。
【００５９】
このような基質はそれぞれ所望の柄をもった大きな打ち出し模様を示す。その際選択は先ず第１には被覆すべき含浸方法に従い、次にはその繊維布を後で使用する用途分野に従って行われる。
【００６０】
エンボッシングを行ったフリースを使用すると、含浸した繊維布で皮膚の上を拭いた場合、フリースの表面に大きな空洞ができ、汚れや不純物がフリースの中に取り込まれ易くなる。洗浄作用はエンボッシングを行っていない繊維布に比べ何倍も増大することができる。
【００６１】
繊維布に対しては、それが２０〜１２０ｇ／ｍ２、好ましくは３０〜８０ｇ／ｍ２、特に好ましくは４０〜６０ｇ／ｍ２の重さ（温度２０℃±２℃、室内の空気の湿度６５％±５％において２４時間保持して測定）をもっている場合有利であることが判った。
【００６２】
基質の厚さは好ましくは０．２〜２ｍｍ、特に好ましくは０．４〜１．５ｍｍ、極めて好ましくは０．６〜０．９ｍｍである。
【００６３】
繊維布のフリース材料の原料としては、一般に天然産および合成品のすべての有機性および無機性の繊維を用いることができる。例えばビスコース、綿、セルロース、ジュート、麻、サイザル繊維、絹、羊毛、ポリプロピレン、ポリエステル、ポリエチレンテレフタレート（ＰＥＴ）、アラミド、ナイロン、ポリビニル誘導体、ポリウレタン、ポリラクチド、ポリヒドロキシアルカノエート、セルロースエステル、および／またはポリエチレン、並びに鉱物性繊維、例えばガラス繊維または炭素繊維が挙られる。しかし本発明はこれらの上記の材料に限定されるものではなく、多数の他の繊維をフリースの製造に用いることができる。本発明の目的においては、これらの使用される繊維が水溶性でないことが有利である。
【００６４】
フリースの有利な実施形態においては、繊維は６０〜８０％のビスコースと４０〜２０％のＰＥＴとの混合物、特に７０％のビスコースと３０％のＰＥＴとの混合物から成っている。７０％のビスコースと３０％のＰＥＴとの混合物から成っていることが特に有利である。
【００６５】
また高強度重合体、例えばポリアミド、ポリエステル、および／または高度に伸長されたポリエチレンから成る繊維が等に有利である。
【００６６】
これに加えて、繊維はフリースの光学的な魅力を強調および／または補強するために染色されていることもできる。さらに繊維は紫外線安定剤および／または防腐剤を含んでいることができる。
【００６７】
繊維布をつくるために使用される繊維は、吸水率（ＥＤＡＮＡ試験１０．１−７２で測定）が６０ｍｍ／［１０分］より、特に８０ｍｍ／［１０分］より大きいことがことが好ましい。
【００６８】
さらに繊維布をつくるために使用される繊維は、吸水能力（ＥＤＡＮＡ試験１０．１−７２で測定）が５ｇ／ｇより、特に８ｇ／ｇより大きいことがことが好ましい。
【００６９】
本発明の目的において有利な繊維布は特に次のような引裂き強さをもっている。
【００７０】
［Ｎ／５０ｍｍ］
乾燥状態において    機械方向        ＞６０、好ましくは  ＞８０
横方向          ＞２０、好ましくは  ＞３０
浸漬状態において    機械方向        ＞  ４、好ましくは  ＞６０
横方向          ＞１０、好ましくは  ＞２０
有利な繊維布の伸びは好ましくは次のような値である。
【００７１】
乾燥状態において    機械方向        ＞１５〜１００％、
好ましくは  ＞２０〜５０％
横方向          ＞４０〜１２０％、
好ましくは  ＞５０〜８５％
浸漬状態において    機械方向        ＞１５〜１００％、
好ましくは  ＞２０〜４０％
横方向          ＞４０〜１２０％、
好ましくは  ＞５０〜８５％
本発明に従えば、フリース対洗浄調合物の重量比は１：０．５〜１：５の場合に有利であり、１：０．７〜１：３の場合が特に好適である。
【００７２】
本発明においては本発明の基質を製造する方法が提供される。
【００７３】
本発明によれば、本発明による調合物は下記の方法によって有利に製造することができる。
【００７４】
（ａ）擦り付けによる被覆
擦り付け装置（擦り付け用の角材、反対方向に移動する回転システム等）を連続的に含浸溶液の中に導く。接触させることにより含浸溶液を移動している基質の上に移す。
【００７５】
（ｂ）噴霧による被覆
液状の含浸溶液を移動する基質の上に噴霧する。
【００７６】
（ｃ）浸漬による被覆
液状の含浸溶液を満たした浴の中に浸漬する材料を通すか、繊維布のロール全体を含浸溶液の中に浸漬する。
【００７７】
これらの製造実施例は本発明を説明するものではあるが、本発明を制限するものではない。
【００７８】
また本発明は皮膚および／または毛髪の洗浄および手入れを行うための化粧用繊維布としての本発明による繊維布の使用に関する。特に本発明に従えば、顔の洗浄または装飾用の化粧品の「化粧落し」を行うために本発明による基質が使用される。本発明の繊維布は特に敏感な皮膚、例えば乾燥した皮膚、赤ん坊または高齢者の皮膚の洗浄に使用することができる。
【００７９】
また本発明は穏やかに泡立つ洗浄器としての本発明による繊維布の使用に関する。
【実施例】
【００８０】
下記実施例により本発明を例示するが、これらの実施例は本発明を限定するものではない。これらの実施例において特記しない限りすべての量、割合および％は重量によるものであり、全体の量は調合物の全量に関する値である。
含浸溶液の例
【００８１】
【表２】
2006512424.tif 000004
【００８２】
【表３】
2006512424.tif 000005